【手続補正書】
【提出日】平成30年11月29日(2018.11.29)
【手続補正１】
【補正対象書類名】特許請求の範囲
【補正対象項目名】全文
【補正方法】変更
【補正の内容】
【特許請求の範囲】
【請求項１】
少なくとも通信機能を有する携帯機器を装着し、当該携帯機器に電力を供給をするための機器であって、
携帯機器にメッセージ着信があったことを検知するメッセージ着信検知手段と、
前記メッセージ着信検知手段によってメッセージ着信が検知されると、音声または光またはその双方にて着信告知を行う着信告知手段と、
を備える機器。
【請求項２】
請求項１の機器において、
前記メッセージ着信検知手段は、携帯機器からのメッセージ着信の連絡を受けて検知を行うことを特徴とする機器。
【請求項３】
請求項１の機器において、
前記メッセージ着信検知手段は、携帯機器に対してメッセージ着信の有無を問い合わせ、その回答を受けて検知を行うことを特徴とする機器。
【請求項４】
請求項１〜３のいずれかの機器において、
前記着信告知手段は、人体検出センサによる人体検出がなされている時、あるいは人体検出が所定時間継続した時に着信告知を行うことを特徴とする機器。
【請求項５】
請求項１〜４のいずれかの機器において、
出力指令を受けて、着信メッセージを音声にて出力するメッセージ音声出力手段をさらに備える機器。
【請求項６】
請求項５の機器において、
前記音声出力手段は、着信したメッセージの送信元アドレスを携帯機器から受信し、当該送信元アドレスに対応して予め記録された送信元情報を音声にて出力することを特徴とする機器。
【請求項７】
請求項１〜６のいずれかの機器において、
出力指令を受けて、携帯機器に対して着信メッセージを音声にて出力するよう指示するメッセージ音声出力指示手段を備える機器。
【請求項８】
請求項１〜７のいずれかの機器において、
音声を取得するためのマイクと、
メッセージ記録指令を受けて、マイクにより、対象者の音声メッセージを取得して記録する音声メッセージ記録手段と、
メッセージ送信指令を受けて、記録された音声メッセージを、携帯機器により所定の送信先に送信する音声メッセージ送信手段と、
をさらに備えた機器。
【請求項９】
請求項８の機器において、
メッセージ記録ボタンをさらに備えており、
前記メッセージ記録ボタンが対象者によって起動操作されると前記メッセージ記録指令が出され、解除操作されると前記メッセージ送信指令が出されることを特徴とする機器。
【請求項１０】
請求項８の機器において、
メッセージ記録ボタンをさらに備えており、
前記メッセージ記録ボタンが対象者によって起動操作されると前記メッセージ記録指令が出されて所定時間音声メッセージを記録した後、前記メッセージ送信指令が出されることを特徴とする機器。
【請求項１１】
請求項８〜１０のいずれかの機器において、
前記所定の送信先は、直前に着信したメッセージの発信元または直前に再生したメッセージの発信元であることを特徴とする機器。
【請求項１２】
請求項１〜６のいずれかの機器において、
メッセージ記録指令を受けて、対象者の音声メッセージを取得して記録するよう携帯機器に対して指令を与える音声メッセージ記録指示手段と、
メッセージ送信指令を受けて、記録された音声メッセージを、所定の送信先に送信するよう携帯機器に対して指令を与える音声メッセージ送信指示手段と、
をさらに備えた機器。
【請求項１３】
請求項１２の機器において、
メッセージ記録ボタンをさらに備えており、
前記メッセージ記録ボタンが対象者によって起動操作されると前記メッセージ記録指令が出され、解除操作されると前記メッセージ送信指令が出されることを特徴とする機器。
【請求項１４】
請求項１２の機器において、
メッセージ記録ボタンをさらに備えており、
前記メッセージ記録ボタンが対象者によって起動操作されると前記メッセージ記録指令が出されて所定時間音声メッセージを記録した後、前記メッセージ送信指令が出されることを特徴とする機器。
【請求項１５】
請求項１２〜１４のいずれかの機器において、
前記所定の送信先は、直前に着信したメッセージの発信元または直前に再生したメッセージの発信元であることを特徴とする機器。
【請求項１６】
少なくとも通信機能を有し、対象者の居宅に置かれた機器によって充電される携帯機器であって、
携帯機器にメッセージ着信があったことを検知するメッセージ着信検知手段と、
前記メッセージ着信検知手段によってメッセージ着信が検知されると、音声または光またはその双方にて着信告知を行う着信告知手段と、
を備える携帯機器。
【請求項１７】
少なくとも通信機能を有し、対象者の居宅に置かれた機器によって充電される携帯機器をコンピュータによって実現するための携帯機器プログラムであって、コンピュータを、
携帯機器にメッセージ着信があったことを検知するメッセージ着信検知手段と、
前記メッセージ着信検知手段によってメッセージ着信が検知されると、音声または光またはその双方にて着信告知を行う着信告知手段として機能させるための携帯機器プログラム。
【請求項１８】
請求項１７の携帯機器プログラムにおいて、
前記着信告知手段は、人体検出センサによる人体検出がなされている時、あるいは人体検出が所定時間継続した時に着信告知を行うことを特徴とする携帯機器または携帯機器プログラム。
【請求項１９】
請求項１７または１８の携帯機器プログラムにおいて、コンピュータを、さらに
出力指令を受けて、着信メッセージを音声にて出力するメッセージ音声出力手段として機能させるための携帯機器プログラム。
【請求項２０】
請求項１９の携帯機器プログラムにおいて、
前記音声出力手段は、着信したメッセージの送信元アドレスに対応して予め記録された送信元情報を音声にて出力することを特徴とする携帯機器プログラム。
【請求項２１】
請求項１７〜２０のいずれかの携帯機器プログラムにおいて、コンピュータを、さらに、
メッセージ記録指令を受けて、携帯機器または機器のマイクにより、対象者の音声メッセージを取得して記録する音声メッセージ記録手段と、
メッセージ送信指令を受けて、記録された音声メッセージを、所定の送信先に送信する音声メッセージ送信手段として機能させるための携帯機器プログラム。
【請求項２２】
請求項２１の機器において、
携帯機器または機器のメッセージ記録ボタンが対象者によって起動操作されると前記メッセージ記録指令が出され、解除操作されると前記メッセージ送信指令が出されることを特徴とする携帯機器プログラム。
【請求項２３】
請求項２１の携帯機器プログラムにおいて、
携帯機器または機器のメッセージ記録ボタンが対象者によって起動操作されると前記メッセージ記録指令が出されて所定時間音声メッセージを記録した後、前記メッセージ送信指令が出されることを特徴とする携帯機器プログラム。
【請求項２４】
請求項２１〜２３のいずれかの携帯機器プログラムにおいて、
前記所定の送信先は、直前に着信したメッセージの発信元または直前に再生したメッセージの発信元であることを特徴とする携帯機器プログラム。
【請求項２５】
少なくとも通信機能を有する携帯機器と、当該携帯機器を装着し当該携帯機器に電力を供給する筐体機器とを備えたコミュニケーション機器であって、
携帯機器の通信機能によって受信したテキストメールを音声データに変換して、スピーカから出力する手段と、
返信モードにおいて、マイクによって取得した音声を録音する手段と、
録音された音声を携帯機器の通信機能によって送信する送信手段と、
を備えたコミュニケーション機器。